(57)【要約】【課題】  平面上に載置された状態から容易に拾い上げることができ、且つ拾い上げた後に書類に記入する動作にスムーズに移行することができる用箋挟を提供する。【解決手段】  矩形状の台板１と、台板１の一端部に連結されて台板１の表面との間に書類を挟持する書類挟み２とを備える。書類挟み２を上側としたときの台板１の左端部に、表側へ膨出して左側方に開放された凹部を裏面側に形成するグリップ部１８を設けた。台板１の表面を上側として平面と載置した状態では、該平面とグリップ部１８の裏面との間に隙間が空くから、この隙間から手を差し入れることにより容易に拾い上げることができる。また、一般的な置き方で左側となる位置にグリップ部１８を設けていることにより、上記隙間に左手を差し入れて拾い上げた後には右手に持った筆類による書類の記入動作にスムーズに移行することができる。【選択図】図１
0003130473.tif 000002
【実用新案登録請求の範囲】
【請求項１】
矩形状の台板と、台板の一辺の近傍に連結されて台板の表面との間に書類を挟持する書類挟みとを備え、
台板の上記一辺に隣接する一辺の少なくとも一部には台板の表面側へ膨出して側方に開放された凹部を裏面側に形成するグリップ部が設けられていることを特徴とする用箋挟。
【請求項２】
グリップ部は、台板の書類挟みが設けられた一辺に対して表面側から見て反時計回り方向に隣接した一辺に設けられていることを特徴とする請求項１記載の用箋挟。
【請求項３】
台板には少なくとも１個のフック穴がそれぞれ厚さ方向に貫設されていることを特徴とする請求項１又は請求項２記載の用箋挟。
【請求項４】
それぞれ台板に対して着脱自在に取り付けられた少なくとも１個のマグネットを備えることを特徴とする請求項１〜３のいずれかに記載の用箋挟。
【考案の詳細な説明】
【技術分野】
【０００１】
本考案は、用箋挟に関するものである。
【背景技術】
【０００２】
従来から、扁平な台板と、台板の表面側に設けられて台板の表面との間に書類を挟持するクリップ状の書類挟みとを備える用箋挟が提供されている（例えば、特許文献１参照）。この種の用箋挟は、例えば屋外など机が使用できない状況でのアンケートなどの書類作成に用いられる。
【特許文献１】特開平７−１１７３８９号公報
【考案の開示】
【考案が解決しようとする課題】
【０００３】
従来の用箋挟は、台板において表面を上側に向けて机上などの平面上に載置されたとき、上記平面と台板との間に手を差し入れることができなかったため、拾い上げるには書類挟みに手をかけていた。しかし、書類挟みに手をかけて拾い上げた場合には、その後に書類に記入する動作にスムーズに移行することができなかった。
【０００４】
本考案は、上記事由に鑑みて為されたものであり、その目的は、平面上に載置された状態から容易に拾い上げることができ、且つ拾い上げた後に書類に記入する動作にスムーズに移行することができる用箋挟を提供することにある。
【課題を解決するための手段】
【０００５】
請求項１の発明は、矩形状の台板と、台板の一辺の近傍に連結されて台板の表面との間に書類を挟持する書類挟みとを備え、台板の上記一辺に隣接する一辺の少なくとも一部には台板の表面側へ膨出して側方に開放された凹部を裏面側に形成するグリップ部が設けられていることを特徴とする。
【０００６】
この発明によれば、書類挟みを上側ないし奥側に向けたときの左右のうち利き手側でない側にグリップ部が設けられているものを用いれば、台板が載置された平面とグリップ部との間に生じる隙間に利き手でない側の手を差し込むことで該平面上から容易に拾い上げることができ、かつ拾い上げた後に利き手で書類を記入する動作に移行しやすい。
【０００７】
請求項２の発明は、請求項１の発明において、グリップ部は、台板の書類挟みが設けられた一辺に対して表面側から見て反時計回り方向に隣接した一辺に設けられていることを特徴とする。
【０００８】
この発明によれば、書類挟みを上側ないし奥側に向けて置いたときにグリップ部が左側に来るから、大きな割合を占める右利きの人間にとって使い易いものとなる。
【０００９】
請求項３の発明は、請求項１又は請求項２の発明において、台板には少なくとも１個のフック穴がそれぞれ厚さ方向に貫設されていることを特徴とする。
【００１０】
この発明によれば、フック穴にフックを挿通することによる吊下げ支持が可能となる。
【００１１】
請求項４の発明は、請求項１〜３のいずれかの発明において、それぞれ台板に対して着脱自在に取り付けられた少なくとも１個のマグネットを備えることを特徴とする。
【００１２】
この発明によれば、マグネットを用いて本実施形態をスチール製の机やロッカーなどの家具に磁着することができる。また、廃棄時には使用者がマグネットを取り外して分別することができる。
【考案の効果】
【００１３】
請求項１の発明によれば、書類挟みを上側ないし奥側に向けて置いたときの左右のうち利き手側でない側にグリップ部が設けられているものを用いれば、台板が載置された平面とグリップ部との間に生じる隙間に利き手でない側の手を差し込むことで該平面上から容易に拾い上げることができ、かつ拾い上げた後に利き手で書類を記入する動作に移行しやすい。特に、請求項２のように、台板の書類挟みが設けられた一辺に対して表面側から見て反時計回り方向に隣接した一辺、すなわち上記の置き方をしたときの左側の辺にグリップ部を設ければ、大きな割合を占める右利きの人間にとって使い易いものとなる。
【００１４】
請求項３の発明は、台板にフック穴を厚さ方向に貫設したので、フック穴にフックを挿通することによる吊下げ支持が可能となる。
【００１５】
請求項４の発明は、それぞれ台板に対して固定された少なくとも１個のマグネットを備えるので、マグネットを用いて本実施形態をスチール製の机やロッカーなどの家具に磁着することができる。また、廃棄時には使用者がマグネットを取り外して分別することができる。
【考案を実施するための最良の形態】
【００１６】
以下、本考案を実施するための最良の形態について、図面を参照しながら説明する。
【００１７】
本実施形態は、図１に示すように、扁平であって厚さ方向から見て長方形状の台板１と、台板１の長手方向の一端部（以下、「上端部」と呼ぶ。）に連結されて書類（図示せず）を台板１の表面との間に挟持する書類挟み２と、書類挟み２に対して台板１の短手方向の一方側（以下、「右側」と呼ぶ。）において台板１に連結されてペンや鉛筆といった筆類Ｐ（図４参照）を台板１の表面との間に挟持する筆類挟み３とを備える。台板１と、書類挟み２と、筆類挟み３とは、それぞれ例えばＡＢＳ樹脂を用いた合成樹脂成型品からなる。以下、台板１の厚さ方向を前後方向として台板１の表面が向けられた方向を前方と呼び、台板１の表面・裏面をそれぞれ前面・後面と呼ぶ。
【００１８】
詳しく説明すると、本実施形態は保持する書類として一般的なＡ４用紙を想定しており、Ａ４用紙の全体を保持することができるように、台板１の上下左右の寸法はＡ４寸法（上下２９７ｍｍ、左右２１０ｍｍ）よりも十分に大きくしてある。なお、Ａ４以外の用紙に対応した用箋挟とするには、使用が想定される用紙に合わせて寸法形状を適宜変更すればよい。
【００１９】
書類挟み２は前方から見て左右に長い長方形状であって、後面において上下方向の中央部から後方に突設された支点凸部（図示せず）を台板１の前面に当接させて支点とすることにより、台板１に対して左右方向から見た面内で回動可能となっている。また、書類挟み２は、図２に示すように左右に並んだ２個の書類挟みばね４を介して台板１に連結されている。各書類挟みばね４は、それぞれ、金属板が両端間を互いに近接させるように曲成された全体としてΩ字形状の板ばねからなり、上記両端を下方を向けて一端部が台板１に連結されて他端が書類挟み２に連結されている。各書類挟みばね４はそれぞれ両端間を引き離すように常に弾性変形しており、書類挟み２が下端を台板１の前面から離す方向に回動すると変形量が大きくなる。つまり、書類挟み２は、書類挟みばね４により、下端を台板１の前面に押し付けるように付勢されている。また、台板１の後面には、それぞれ書類挟みばね４の後端部が収納される２個のばね収納凹部１１が左右に並べて設けられており、書類挟みばね４の後端部は書類挟み２の回動時に弾性変形してもばね収納凹部１１に収納されたままで台板１の後方へは突出しない。さらに、台板１において書類挟みばね４が挿通されるばね挿通穴１１ａはばね収納凹部１１の底面に貫設されている。また、図３に示すように、各ばね収納凹部１１の底面において、それぞればね挿通穴１１ａの下側には、書類挟みばね４の下端部を係止して書類挟みばね４の脱落を防止する係止凸部１１ｂが後方へ突設されている。各ばね挿通穴１１ａの下側の内面すなわち各係止凸部１１ｂの上面は、それぞれ上方へ向かって前方へ傾斜しており、製造時に書類挟みばね４を取り付ける際は書類挟みばね４の後端部がこの傾斜面でガイドされることにより、書類挟みばね４の取り付けが容易となっている。
【００２０】
また、筆類挟み３は、図４に示すように、前方から見て左右に長い長方形状の本体部３１と、それぞれ本体部３１の後面の左端部から後方へ突設されて上下に対向し軸受け穴３２ａが上下に貫設された軸受け部３２とを有する。台板１の前面には、軸受け部３２の間で上下に対向する軸支凸部１２がそれぞれ前方に突設されている。各軸受け部３２にはそれぞれ円形状の軸受け穴３２ａが上下に貫設され、軸支凸部１２には円柱形状の軸凸部１２ａが上下方向の外向きに突設されており、各軸支凸部１２の軸凸部１２ａがそれぞれ軸受け穴３２ａに係入することにより、筆類挟み３は台板１に対して上下方向から見た面内で回動可能となっている。筆類挟み３と台板１とには左向きに開口したＵ字形状の板ばねからなる筆類挟みばね（図示せず）の一端部ずつがそれぞれ連結されており、この筆類挟みばねが弾性復帰した位置よりも両端間の距離を小さくするように常に弾性変形していることによって、筆類挟み３は右端部を台板１の前面に近づける向きに付勢されている。さらに、台板１の前面において前方から見て筆類挟み３の左右方向の中央部に覆われる位置には、それぞれ上下方向から見て三角形状であって上下に対向する２個の制限凸部１３ａがそれぞれ前方へ突設されている。また、台板１の前面において前方から見て筆類挟み３の右端部に覆われる位置には、上下方向から見て三角形状であって上下の寸法が筆類挟み３と略同じであり突出寸法が制限凸部１３ａよりも小さい抜け止め凸部１３ｂが前方へ突設されている。さらに、筆類挟み３の本体部３１の後面には、それぞれ上下方向から見て三角形状の制限凸部３３ａと抜け止め凸部３３ｂとが左右に並べて設けられている。筆類挟み３と台板１との間に挟持された筆類Ｐは、前端部を筆類挟み３の制限凸部３３ａと抜け止め凸部３３ｂとの間に挟まれ、後端部を台板１の制限凸部１３ａと抜け止め凸部１３ｂとの間に挟まれることにより、台板１に対する左右方向への変位や前方から見た面内での回動を制限され、脱落を防止されている。
【００２１】
また、台板１に対する筆類挟み３の回動であって右端部を台板１に近づける方向への回動は、制限凸部１３ａが軸受け部３２の後面に当接することによって制限される。これにより、筆類Ｐが保持されておらず筆類挟み３が復帰した状態では、筆類挟み３の右端部と台板１の前面との間には隙間が空く。
【００２２】
さらに、筆類挟み３の本体部３１の右端部には、後面が右方へ向かって前方すなわち台板１との間の距離を大きくする方向へ傾斜した誘導部３１ａが設けられている。
【００２３】
筆類挟み３と台板１との間に筆類Ｐを保持させる際は、筆類Ｐの軸方向を上下方向に向けて右方から筆類挟み部３と台板１との間の隙間に筆類Ｐを押し込めば、抜け止め凸部１３ｂの右側の傾斜面と誘導部３１ａの傾斜面とがそれぞれ筆類Ｐに当接することにより筆類挟み３と台板１との間の隙間が押し広げられるから、筆類Ｐを筆類挟み部３と台板１との間に容易に挟持させることができる。なお、筆類Ｐを保持させるに当たっては、筆類挟み３の左端部を後方へ押し込むことによっても、筆類挟み３を右端部が台板１から離れる方向に回動させることができる。筆類挟み３の前面の左端部には、上記のように後方へ押し込む操作を行いやすいように、それぞれ上下に長い２個の滑り止め凸部３４が左右に並べて前方へ突設されている。
【００２４】
台板１の左上端部には、フック穴１４ａが前後に貫設されており、本実施形態は図５に示すようにフック穴１４ａにフックＦを引っ掛けることによって吊下支持することができる。なお、図３に示すように、台板１の上端部であって左右方向の中央部（すなわち書類挟み２の後側）にも、フックＦを引っ掛けることができる円形状のフック穴１４ｂが前後に貫設されているが、左上端部のフック穴１４ａは、書類挟み２に覆われることなく前後に開放されている上に比較的に寸法が大きくなっているため、このフック穴１４ａを用いれば複数個の本実施形態を共通のフックＦに吊下げることができる。
【００２５】
また、台板１において、書類挟み２の後側には、２個のマグネット５が左右に並べて取り付けられており、本実施形態はマグネット５を用いてスチール製の机やロッカーなどの家具に磁着することができる。具体的に説明すると、各マグネット５は、図３に示すように、それぞれ例えば永久磁石（図示せず）が磁性体からなる継鉄に覆われてなる円板形状の磁石本体５１が、合成樹脂からなる保持体５２にインサート成形されてなる。保持体５２の外周面において互いに反対側に位置する２箇所には、それぞれ係止凸部５２ａが外向きに突設されている。台板１にはそれぞれマグネット５が挿通される磁石挿通穴１５が前後に貫設されており、磁石挿通穴１５の内面には、マグネット５の保持体５２の後側に位置してマグネット５の後方への脱落を防止する後側係止凸部１５ａと、マグネット５の係止凸部５２ａの前側に位置してマグネット５の前方への脱落を防止する前側係止凸部１５ｂとが、それぞれ二回回転対称な配置で内側へ突設されている。さらに、各前側係止凸部１５ｂに対し後方から見て時計回り方向には、それぞれマグネット５の取付時にマグネット５の係止凸部５２ａを導入するために前後に開放された導入部１５ｃが設けられている。マグネット５を台板１に取り付ける際は、前方から係止凸部５２ａを導入部１５ｃに通すようにしてマグネット５を台板１の磁石挿通穴１５に導入した後、マグネット５を台板１に対して後方から見て反時計回りに回動させる。すると、マグネット５の係止凸部５２ａが前側係止凸部１５ｂの後側に移動し、ここにおいてマグネット５は台板１に保持される。すなわち、各マグネット４はそれぞれ周知のバヨネット結合により台板１に保持されている。また、本実施形態を廃棄する際には、上記の逆の手順によってマグネット５を台板１から取り外して分別することができる。さらに、マグネット５において保持体５２で構成された前面には、マグネット５の径方向に長い操作溝（図示せず）が設けられており、マグネット５の着脱時には上記の操作溝に治具を差し込んで治具を回すことでマグネット５の回動操作を行いやすくなっている。なお、マグネット５は嵌合や螺合といった他の周知の構造によって台板１に取り付けてもよいが、上記のようにバヨネット結合を用いれば構造の簡単さと保持強度とを比較的に高い水準で両立することができるから望ましい。
【００２６】
また、台板１の上端部において書類挟み２の左右両側には、それぞれ、下面が平坦であって書類の上辺に当接して位置決めする第１の位置決め凸部１６が前方へ突設されている。また、台板１の左端部には、右面が平坦であって書類の左端に当接して位置決めする第２の位置決め凸部１７が、台板１の上下の全長にわたって前方へ突設されている。左側の第1の位置決め凸部１６の左端部と第２の位置決め凸部１７の上端部とは互いに連結され、全体として逆Ｌ字形状となっている。重なり合った複数枚の書類を保持する場合には、複数枚の書類をそれぞれ第１の位置決め凸部１６と第２の位置決め凸部１７とに当てることにより、容易に書類を揃えることができる。
【００２７】
ここで、書類挟み２の後側のフック穴１４ｂは第１の位置決め凸部１６の下面よりも上側に位置し、左上端部のフック穴１４ａは位置決め凸部１６に貫設されているため、位置決め凸部１６，１７によって位置決めされた書類はいずれのフック穴１４ａ，１４ｂも覆うことはない。つまり、書類挟み２と台板１との間に挟持された書類といずれかのフック穴１４ａ，１４ｂに挿通されたフックＦとが互いに干渉しないようになっている。
【００２８】
また、各位置決め凸部１６，１７はそれぞれエンボス加工によって形成されており、台板１の後面において位置決め凸部１６，１７の後側には凹部が形成されている。さらに、台板１の左側面であって上下方向の中央部には、図６に示すように第２の位置決め凸部１７の後側の凹部に連通した円弧形状の切り欠き１７ａが設けられている。また、切り欠き１７ａの位置において台板１の後面をより前側に位置させるように、第２の位置決め凸部１７の上下方向での中央部は前方へ膨出させてある。以上により、台板１の左端部（左側の辺）であって上下方向の中央部には、前方（表面側）に膨出して左側方に開放された凹部を後側（裏面側）に形成するグリップ部１８が構成されている。
【００２９】
上記構成によれば、本実施形態を平面上に載置又は磁着したときには、該平面とグリップ部１８の後面との間に、台板１の側方（厚さ方向に直交した方向）に開放された隙間が空くから、この隙間から手を差し入れることによって容易に本実施形態を拾い上げることができる。また、本実施形態のような用箋挟は上記説明における下側を手前側又は下側に向けて、つまり書類挟み２を奥側又は上側に向けて載置されることが多いが、このような置き方をしたときに左側となる位置にグリップ部１８を設けていることにより、上記隙間に左手を差し入れて拾い上げた後には右手に持った筆類による書類の記入動作にスムーズに移行することができる。
【００３０】
なお、屋外での使用が中心となる場合など、マグネット５を使用する機会が少ない場合には、マグネット５を省略して製造コストを低減してもよい。
【図面の簡単な説明】
【００３１】
【図１】本発明の実施形態を示す斜視図である。
【図２】同上の要部を示す斜視図である。
【図３】同上において書類挟みと書類挟みばねと一方のマグネットとをそれぞれ取り外した状態の要部を示す斜視図である。
【図４】同上の要部を示す下面図である。
【図５】同上をフックに吊下げ支持した状態の要部を示す斜視図である。
【図６】同上の要部を示す左側面図である。
【符号の説明】
【００３２】
１  台板
２  書類挟み
５  マグネット
１４ａ，１４ｂ  フック穴
１８  グリップ部
【図１】
0003130473.tif 000003
【図２】
0003130473.tif 000004
【図３】
0003130473.tif 000005
【図４】
0003130473.tif 000006
【図５】
0003130473.tif 000007
【図６】
0003130473.tif 000008